(57)【要約】【課題】定電流駆動増幅器ではスピーカーの低域で生ずる共振点ｆ０で電気インピーダンスが増加し、それに対応してパワーが増加し、音圧が上昇し、周波数特性が平坦でなくなる。本発明により、低インピーダンス駆動による制動力を有し、より平坦な周波数特性を示し、前記共振点ｆ０での盛り上がりに起因する最大出力の限界問題を解消する電流負帰還―電流駆動増幅器に関してである。【解決手段】スピーカー駆動増幅器で、バッファーアンプと、電流加算部と、スピーカーユニットと直列につながる抵抗とからなる負帰還部と、電圧増幅部と、電流ー電圧変換部とで構成する電流負帰還電流駆動増幅器であって、当該スピーカーユニットの電気インピーダンスの値が、当該電圧増幅部の開ループ利得と当該直列につながる抵抗値とを乗じた値と等しくすることを手段とする。【選択図】図１
2017028669.tif 000002
【特許請求の範囲】
【請求項１】
スピーカー駆動増幅器であって、バッファーアンプと、電流加算部と、スピ−カーユニットに直列につながる抵抗からなる負帰還部と、電流―電圧変換部と、電圧増幅部とで構成する電流負帰還―電流駆動増幅器であって、当該電圧増幅器の開ループ利得が当該スピーカーユニットの電気インピーダンス値と略等しい値とすることを特徴とする電流負帰還―電流駆動増幅器。
【請求項２】
バッファーアンプ機能を含むオーデイオ信号電流変換  増幅器であって、当該バッファーアンプのＳＥＰＰ部を構成する出力抵抗にバイアス電圧を加えて、これを赤熱させる手段と、当該ＳＥＰＰ部の出力抵抗部へスピーカー電流を入力加算するための入力手段と、当該バッファーアンプの入力端子からのオーデイオ信号が当該ＳＥＰＰ部出力抵抗に流れ込む電流を検知し、これを出力する手段とを設けることを特徴とするオーデイオ電流変換増幅器。
【請求項３】
抵抗体であって、真空管のフィラメントを赤熱した抵抗体とし、当該フィラメントの一方に真空管のカソードを、他方にグリッドを接続し、当該赤熱したフィラメントに流れるオーデイオ信号をプレートより取り出し、増幅する手段を設けることを特徴とする電流検出回路。
【請求項４】
複数のボイスコイルから成るスピーカーユニットを駆動するためのスピーカ−駆動増幅器であって、前記スピーカー駆動増幅器の出力部からの負帰還インピーダンスに、前記スピーカーユニットのボイスコイルをもって、その負帰還回路を構成し、電流駆動を行う手段と、前記スピーカー駆動増幅器の出力部とアース間に前記スピーカーユニットの他のボイスコイルを接続し電圧駆動をする    手段とを備えることを特徴とするスピーカ−電流ー電圧駆動増幅器。
【請求項５】
スピーカー駆動増幅器であって、バッファーアンプと、電流加算部と、スピーカーユニットと直列につながる抵抗とから成る負帰還部と、電流―電圧変換部と、電圧増幅部とで構成する電流負帰還ー電流駆動増幅器であって、スピーカーユニットの電気インピーダンスの値が、当該電圧増幅の開ループ利得と当該直列につながる抵抗値とを乗じた値と等しいものとすることを特徴とするスピーカー電流負帰還ー電流駆動増幅器。
【請求項６】
請求項５に記載の前記スピーカー電流負帰還ー電流駆動増幅器であって、共振周波数ｆ０を有するスピーカーユニットと直列につながる抵抗とから成る負帰還部と、当該スピーカーユニットと等しい共振周波数ｆ０をもつスピーカーユニットを、その電圧増幅部の出力端子とアース間に接続することを特徴とするカレントミラーパワー増幅器である。
【発明の詳細な説明】
【技術分野】
【０００１】この発明はスピーカーを電流駆動するためのオーデイオ電流負帰還―電流駆動増幅器に関するものである。
【背景技術】
【０００２】従来、スピーカーの再生には電圧駆動型のスピーカー駆動パワー増幅器が一般に実用上使用されており，電流駆動型のパワー増幅器はほとんど市販されていない。
【先行技術文献】
【０００３】
【特許文献】
【特許文献】  特願  ２０１４−３７４５１
【発明の概要】
【発明が解決しようとする課題】
【０００４】従来のスピーカー駆動パワー増幅器は、ほとんど電圧駆動型であるが、一般のダイナミックスピーカーは低域に共振点ｆ０を有し、電気インピーダンスが上昇し、当該スピーカーに流れる電流は減少し、パワーが入り難いので低域での音圧が減る欠点がある。一方、電流駆動増幅器は一般に市販されていない。また、定電流駆動型なのでスピーカーの低域で生ずる共振点ｆ０で電気インピーダンスが増加し、それに応じてパワーが増加し、音圧が上昇し周波数特性が平坦でなくなる欠点がある。本発明により、低インピーダンス出力による制動力を有し、平坦な周波数特性を示し、前記共振点ｆ０での盛り上がりに起因する最大出力限界問題を解決した電流負帰還電流駆動増幅器とするものである。
【課題を解決するための手段】
【０００５】本発明は電流負帰還回路にスピーカーユニットのボイスコイルを負帰還ネットワークとして動作させ、かつ当該スピーカーユニットを電流駆動とし、低域共振周波数ｆ０での音圧の盛り上がりを平坦に抑えることである。【０００６】請求項１について本発明は前記課題の解決のため以下の手段を案出した。スピーカー駆動パワー増幅器であって、バッファーアンプと、スピーカーユニットと直列につながる抵抗から成る電流負帰還部と、電流加算部と、電流ー電圧変換部と、電圧増幅部とで構成する電流負帰還電流駆動増幅器であって、当該電圧増幅部の開ループ利得が当該スピーカーユニットの電気インピーダンス値と略等しいことを特徴としている電流負帰還電流駆動増幅器である。【０００７】請求項２について本発明は、前記課題のために以下の手段を案出した。バッファーアンプ機能を含むオーデイオ電流変換増幅器であって、当該バッファーアンプのＳＥＰＰ部を構成する出力抵抗へバイアス電圧を加えてこれを赤熱させる手段と、当該ＳＥＰＰ部の出力抵抗部にスピーカー電流を加算入力するための入力端子を設け、当該バッファーアンプの入力端子からのオーデイオ信号が当該ＳＥＰＰ部の出力抵抗に流れ込む電流を検知し、これを出力するための手段を設けることを特徴とするオーデイオ電流変換増幅器である。【０００８】請求項３について本発明は前記課題の解決のため以下の手段を案出した。抵抗体であって、真空管のフィラメントを赤熱した抵抗体とし、当該フィラメント抵抗体の一方に真空管のカソードを、他方にグリッドを接続し、
当該赤熱したフィラメント抵抗体に流れるオーデイオ信号をプレートより取り出し、これを増幅する手段を設けることを特徴とする電流検出回路である。【０００９】請求項４について本発明は前記課題の解決のため以下の手段を案出した。複数のボイスコイルから成るスピーカーユニットを駆動するためのスピーカー駆動増幅器であって前記スピーカー駆動増幅器からの負帰還インピーダンスに前記スピーカーユニットのボイスコイルをもってその負帰還回路を構成し電流駆動を行う手段、前記スピーカー駆動増幅器の出力部とアース間に前記スピーカーユニットの他のボイスコイルを接続し電圧駆動する手段を備えることで、複数のボイスコイルから成るスピーカーユニットを駆動する電流―電圧駆動増幅器である。【００１０】請求項５について本発明は前記課題の解決のため以下の手段を案出した。スピーカー駆動増幅器であって、バッファーアンプと、電流加算部と、スピーカーユニットと直列につながる抵抗とから成る負帰還部と、電流―電圧変換部と、電圧増幅部とで構成する電流負帰還電流駆動増幅器であって、スピーカーユニットの電気インピーダンスの値が当該電圧増幅部の開ループ利得と当該直列につながる抵抗値とを乗じた値と等しいことを特徴とする電流負帰還電流駆動増幅器である。【００１１】請求項６について本発明は前記課題の解決のため以下の手段を案出した。
請求項５に記載の前記スピーカー電流負帰還ー電流駆動増幅器であって、共振周波数ｆ０を有するスピーカーユニットと直列につながる抵抗とから成る負帰還部と、当該スピーカーユニットと等しい共振周波数ｆ０をもつスピーカーユニットを、その電圧増幅部の出力端子とアース間に接続することを特徴とするカレントミラーパワー増幅器である。
【発明の効果】
【００１２】請求項１について説明する。スピーカーのボイスコイルのインピーダンスＺ０はＺ０＝Ｒ０＋ｊｗＬ０（Ω）で表わされる。Ｒ０は公称インピーダンスに近く通常は４Ωか８Ωであり、Ｌ０はインダクタンス成分である。従って，高帯域ではインピーダンスは高くなり電流駆動の場合ではスピーカーからの音圧もそれに従って増加し、又低帯域では機械的共振点ｆ０で逆起電力が発生し等価的にインピーダンスが増加する。これに従って定電流駆動の場合はスピーカーの音圧パワーも増加する。この低帯域での共振インピーダンスは、場合によっては公称インピーダンスの１０倍にもなるので、最大出力電力は公称インピーダンス時での能力は１／１０しか取り出せない。低帯域共振時の出力制限に関して本発明によって、負帰還増幅器の開ループ利得ｆ（Ａ）をスピ−カーインピーダンスと略等しい値にすることにより前記低域共振周波数ｆ０における音圧パワーの盛り上がりをつぶし，略平坦にし、周波数対出力特性を略平坦にし、ダイナミックレンジを伸ばし、低域と高域での音圧の盛り上がりもなく最大出力パワー値の電流駆動増幅器の問題点を除去するものである。また従来の電圧駆動増幅器では低域と高域はスピーカーインピーダンスの影響で減衰し平坦にするのは難しい。【００１３】前記開ループ利得ｆ（Ａ）をスピーカーインピーダンスと略等しい値にすることでスピーカーボイスコイル自体が電流負帰還機能を有し、直接的に１００パーセント負帰還電流として動作しているので、従来のように一部抵抗体で分流していないので速度検出の純度感度が高く、また、大量のモーショナルフイードバックがかけられ、またそれ自体が駆動体として働くので応答性が速い。【００１４】
2017028669.tif 000003
電圧ｅ０から逆起電力をマイナスしたものである。共振周波数ｆ０近傍
2017028669.tif 000004
スの増大となる。開ループ利得ｆ（Ａ）＞＞Ｚｓｐ（スピーカーインピーダンス）の場合、電圧駆動増幅部では前記ｆ０近傍では音圧が下がり電流駆動増幅器では音圧は上昇する。本発明によって前記開ループ利得≒Ｚｓｐとすることで前記ｆ０近傍のｆ特性が平坦に近づき、逆起電力の減少により当該ｆ０での悪影響が減り、モーショナルフイードバック制動力が働く。周波数―出力特性が平坦に近づき、また共振周波数時のピークが低いので信号の立ち上がり、立ち下がり応答が速い。【００１５】請求項２について    説明する。本発明によるオーデイオ電流変換増幅器は、電圧駆動増幅器の特徴である低インピーダンス駆動によるスピーカーの制動力を有し、電流駆動による無制動を解決しており、かつモーショナルインピーダンスに起因する最大出力電力の問題を抑えた電流駆動増幅器としての効果を有している。【００１６】市場で一般に普及しているさまざまな特徴をもつ電圧駆動型パワー増幅器を利用することで、本発明によるオーデイオ電流変換増幅器をもって、電流負帰還ー電流駆動増幅器、に置換することが可能となりオーデイオ再生装置としての使用幅が広がる。【００１７】本発明のオーデイオ電流変換増幅器は、多目的で多機能な働きがある。電流負帰還―電流駆動増幅器として、電流負帰還―電圧駆動増幅器として、電圧負帰還―電流駆動増幅器として、電圧負帰還―電圧駆動増幅器として、カレントミラー駆動増幅器として、また、特定の周波数帯域の任意の周波数を境に、電流駆動帯域と電圧駆動帯域に分割して駆動する機能を有する。【００１８】請求項３について図３に基づいて説明する。真空管Ｔ１（３５）と、同Ｔ２（３６）のフィラメント（１８），及び（１９）を赤熱した電流検出抵抗として、ここを流れる信号電流によって生じた電圧を真空管Ｔ１，Ｔ２の各カソードとグリッド間の信号としてとらえて各プレート（３３），（３４）を経由して出力トランス（３０）の二次側より電圧信号として取り出すことで抵抗による電流検出部と、電圧変換部と、電圧増幅部とを、真空管Ｔ１と同Ｔ２とで同時に真空管としての動作機能を行っているので、回路の簡素化、使用部品の減少、それに伴うＳ／Ｎの向上、の効果がある。使用フィラメントと真空管は異なるものでも使用できる。【００１９】信号を取り出す回路は、真空管のプレートからなので高インピーダンスで受けることになり、負荷として検出誤差の少ない電流検出となる。【００２０】バイアス電圧を加えて赤熱する抵抗に真空管のフィラメントを兼用できる利点がある。【００２１】スピーカー駆動出力電流が流れるＴＲ１（２１）とＴＲ２（２２）のコレクター側から電流検出する場合は、電源部にリップルが含まれるのでこれを除去するには困難が伴い、Ｓ／Ｎが悪化する要因となる。本発明によってＳＥＰＰ出力側でカソードとグリッドの間の電流をとらえ、増幅することでリップル成分は除去されＳ／Ｎがよい。【００２２】真空管の赤熱したフィラメントによる抵抗に信号電流を流すことによって得られる高品位の抵抗は、温度変化による音質の劣化を低減する効果がある。【００２３】真空管のプレートからの出力によって出力トランスを用いてスピーカーにも直接駆動でき、多目的な利用ができる。【��０２４】請求項４に関して図５に基づいて説明する。本発明の方式によって図５に示す増幅器Ａ（１３）の出力点（１５）とアース（１６）間にダブルボイスコイルの一方を接続し、他端に負帰還ボイスコイルを接続すると当該負帰還ボイスコイルから発生する逆起電圧が出力点（１５）とアース（１６）間にある電圧駆動するボイスコイルに働き、両ボイスコイルは同一筒に捲かれ機械的に結合しているので、モーショナルフィードバックが働き、直線性が増し、ひずみが改善される。さらに低インピーダンス出力の電圧駆動と連動しているので、ダンピングファクターは大きくなり制動効果が働き、電流駆動の制動の利かない欠点を取り去っている。【００２５】増幅器Ａ（１３）から電流駆動用出力スピーカーと電圧駆動用出力スピーカーを同時に駆動できる。【００２６】共振時のＱが低くなるので密閉箱ではより小型の箱でも低音再生が可能となる。【００２７】電流駆動特性を示し、同時に電圧駆動特性である逆起電力による制動力を持つ。本発明は共振点ｆ０でのインピーダンスの盛り上がりの小さくする電流駆動と、低インピーダンス駆動の電圧駆動の特性を併せ持つものである。【００２８】請求項５に関して図１に基づいて説明する。
増幅器Ａ（７）の開ループ利得をｆ（Ａ）とし、スピーカーに直列につながる抵抗Ｒｓ（５）とを乗じたＲｓｘｆ（Ａ）の値がスピーカーユニットのモーショナルインピーダンス（共振点近傍）の値と略等しくする。制動力である粘性抵抗μ０は
2017028669.tif 000005
電圧駆動では増幅器の出力インピーダンスＺＡは前記モーショナルインピーダンスＺ０に比較してＺ０＞＞ＺＡ≒０なので強い電磁制動力をもって駆動する。
一方電流駆動では増幅器の出力インピーダンスはα≒ＺＡ＞＞Ｚ０なので（２６）式より、μ０≒０となり電磁制動は利かない。本発明による駆動方式では増幅器の出力インピーダンスＺＡ＝Ｒｓ×ｆ（Ａ）≒Ｚ０とすることで（２６）式で示されるμ０が電圧駆動の強い電磁制動力のはたらきの１／２の制動力を発揮し、かつ電流駆動機能を有し、共振点ｆ０近傍での周波数対パワー特性をより平坦にする。Ｒｓ＝１にすれば請求項１の有する効果が得られる。【００２９】請求項６に関して説明する。カレントミラー回路の出力部は高インピーダンス出力なので、スピーカーを駆動するための電流を取り出すことは難しく一般には見られない。また逆起電流が流れないので電磁制動が働かない。
本発明では、カレントミラー駆動にもかかわらず電圧駆動出力並の低インピーダンス駆動と，電流駆動力を持ち合わせ電磁制動力を働かせる。また請求項１，２，３，４，５にある効果も一部含まれる。
【図面の簡単な説明】
【００３０】
【図１】は本発明の動作原理図である。
【図２】は本発明による周波数スペクトラム特性である。
【図３】は本発明の動作説明図である。
【図４】は本発明の動作説明図である。
【図５】は本発明のブロックダイアグラムである。
【図６】は図５に示された回路の基本ダイアグラムである。
【発明を実施するための形態】
【００３１】請求項１について説明すると、スピーカー電圧駆動増幅器において、スピーカーの電気インピーダンスは低域周波数帯域の共振点ｆ０で上昇し、また高域周波数帯域では公称インピーダンスに比較して、スピーカーのボイスコイルのインダクタンス成分は増加する。これによって電圧駆動増幅器では低帯域と高帯域での駆動力は公称電気インピーダンス帯域である中域に比較して減衰し、音圧は低下する。一方スピーカー電流駆動増幅器では前記スピーカーの電気インピーダンス特性に従って公称インピーダンス帯域に比較して低帯域と高帯域で駆動力が増加し、音圧が上昇する。このようにスピーカーの電圧駆動増幅器も電流駆動増幅器もスピーカーの電気インピーダンスの変動に対して音圧レスポンスが平坦になるような対応が難しい。本発明は以上の欠点をなくするためになされた。以下図１に基づいて説明する。
【００３２】図１は本発明による動作原理図である。利得０ｄｂのバッファーアンプ（１）を経由した入力信号Ｖ１は電流加算部（２）から負帰還抵抗Ｒｓ（５）に入り、一方スピーカーの電気インピーダンスＺｓｐ（４）から流れる負帰還電流Ｉｓｐ（８）は当該負帰還抵抗Ｒｓ（５）に流れ、この電流加算部（２）でこの２信号が加算される。当該バッファーアンプ（１）を流れる電流Ｉｉｎ（６）は、電流ー電圧変換部（３）より電圧信号に変換され、ついで電圧増幅部（７）を通してスピーカーユニット（４）の他端子に接続し、ここを通過して電流加算部（２）にスピーカーユニット電流Ｉｓｐ（８）として流れ、音圧パワーとなる。これがまた負帰還抵抗Ｒｓ（５）で電流加算される。従って、Ｉｉｎ＋Ｉｓｐ＝Ｉｎｆ‐‐‐‐‐‐（１）となる。Ｉｎｆ（９）は前記Ｒｓに流れる電流である。これより
2017028669.tif 000006
（Ｚｓｐ：スピーカーのインピーダンス）
一方、Ｖ０＝Ｉｉｎ×ｆ（Ａ）−‐‐‐‐（３）      ｆ（Ａ）：電圧増幅部の開ループ利得である。
（２）と（３）式より、またＶ１＝Ｖ２より
2017028669.tif 000007
この（６）式のＶ０／Ｖ１は本発明によるスピーカー駆動増幅器の電圧利得を示す。従って当該スピーカーユニットＺｓｐに加わる電力Ｐは
2017028669.tif 000008
ｆ（Ａ）はＺｓｐ／ｆ（Ａ）の項にだけ、つまりスピーカーのインピーダンスだけに関係している。従って、前記電力Ｐは開ループ利得ｆ（Ａ）によって変化することになる。これより電力Ｐが平坦になる条件を求める。一般に共振点ｆ０での共振モーショナルインピーダンスＺｓｐｏは公称電気インピーダンスＺｓｐｓの１０倍程度であるのでＺｓｐｏ＝１０Ｚｓｐｓとし、また検出抵抗Ｒｓ＝Ｚｓｐｓとする。利得ｆ（Ａ）を前記電圧増幅部（７）の開ループ利得として（８）式を前記条件に基づいて計算したスピーカー共給電力Ｐと周波数レスポンス特性を図２に示す。ここで、開ループ利得ｆ（Ａ）がｆ（Ａ）＞＞Ｚｓｐｓの場合（１１）と、同ｆ（Ａ）＝２Ｚｓｐｏの場合（１２）、同様にｆ（Ａ）＝１（１３）、１／２（１４），１／５（１５），の場合の比率をｆ（Ａ）が１／５・Ｚｓｐｏを基準としてそれを１に設定して、それぞれ、周波数を横軸に、縦軸にスピーカーに供給される電力として示す。前記開ループ利得ｆ（Ａ）の数値によっては、共振点ｆ０での電力Ｐが盛り上がっている  特徴が分かる。このデーターグラフの特性から前記開ループ利得ｆ（Ａ）が、略スピーカーの電気インピーダンス値と等しい場合に、電力Ｐ−周波数レスポンス特性が、共振ｆ０を含む低域と、コイルインダクタンスによる高域レベルの上昇が本発明によって、より平坦になり、公称電気インピーダンスの周波数領域でのレベルにより近づき平坦になる。ｆ（Ａ）＞＞Ｚｓｐｏの場合は、一般に使用されている利得値で、図２のグラフのａ（１１）曲線より低域ｆ０点が盛り上がってしまう欠点がある。また、電圧駆動パワー増幅器において、ｆ（Ａ）＞＞Ｚｓｐの場合は、図２に示すｆ（１６）曲線となり低域と高域で電力供給が、減衰しており、電力ー周波数特性が平坦になっていない。また、開ループ利得を可変にすることで低域の音圧レベルを任意に設定可能となる。
【００３３】請求項２に関して図３に基づいて説明する。ＴＲ１（３７）回路は、バッファーアンプを構成しているＳＥＰＰ部の出力抵抗Ｒｈ１（１８）とＲｈ２（１９）にバイアス電圧を加えて、これを赤熱させるためのバイアス回路であり、ＴＲ２（２０）とＴＲ４（２１）を通してＲｈ１（１８）に電圧を加えて赤熱させ、ＴＲ３（２３）とＴＲ５（２２）を通してＲｈ２（１９）を赤熱させている。当該赤熱抵抗Ｒｈ１（１８）とＲｈ２（１９）との交点であるａ点（２５）は電流加算点であり、スピーカーを接続する出力端子となっている。この電流加算点ａ点（２５）とアース間（２６）には電流加算抵抗Ｒｓ（２２）を接続し、これによって当該Ｒｓ（２２）にはＴＲ４（２１）とＴＲ５（２４）により入力信号Ｖ１（２８）が流れ込み、また、スピーカーへの出力端子（２９）から出入りする電流が流れる。
【００３４】電流検出については、Ｒｈ１（１８）の＋電位側に真空管Ｔ１のカソードを、他方にグリッド端子を接続し、同様にＲｈ２（１９）の＋電位側に真空管Ｔ２のカソードを、他端にグリッド端子を接続し、当該抵抗Ｒｈ１（１８）とＲｈ２（１９）にそれぞれ流れる電流によって生じる電圧を検出し、増幅し加算し、プレート部より電流ー電圧変換回路として信号を取り出し出力する。ここでは、出力トランス（３０）を設けて、その二次側を出力端子（３１）と（３２）として出力する手段を備えている。これによって入力信号（２８）がＳＥＰＰ部を流れる電流を出力する手段と、前記スピーカー端子（２９）からの出、入りする電流を検出して、出力する手段を備えるものである。
【００３５】請求項３について図３に基づいて説明する。
ＴＲ１（３７）回路によってバッファーアンプのＳＥＰＰ部の抵抗Ｒｈ１（１８）と、同Ｒｈ２（１９）を真空管のフィラメントとし、これにバイアス電圧を加えて、当該フィラメント抵抗Ｒｈ１（１８）と、同Ｒｈ２（１９）を点火赤熱させ当該真空管Ｔ１（３５）と、同Ｔ２（３６）とを動作させる。当該フィラメント抵抗Ｒｈ１（１８）と、同Ｒｈ２（１９）とに電位のプラス側をカソード端子に接続し、他端にグリッド端子をそれぞれ接続する。グリッドーカソード間のバイアス電圧は、フィラメントを点火赤熱するために流れる電流によって生ずる直流電圧によって与える。また、当該フィラメント抵抗Ｒｈ１（１８）と、同Ｒｈ２（１９）に流れる信号電流を当該グリッドーカソード間の電位差としてとらえ、電流―電圧変換部としてプレート（３３）より信号電流を取り出すものである。このようにして真空管Ｔ１と、同Ｔ２を作動させることによって入力信号Ｖ１（２８）による出力電流を検出し、これを電流ー電圧変換して電圧出力する。
【００３６】請求項４に関して図５に基づいて説明する。ボイスコイルＢｌ１（１４）は、負帰還形の定電流パワー増幅器によって駆動され、当該Ｂｌ１（４４）に流れる電流は抵抗Ｒｓ（３７）にかかる電圧Ｖ２により一定となる。前記Ｂｌ１（１４）の両端子間は高インピーダンス駆動となり、ここで発生する逆起電圧による電流は流れないがボイスコイルＢｌ２（４２）に電圧としてこの両端子間（片側は  アース）にかかる。一方前記パワー増幅器（４０）の出力端子（４１）とアース（３９）間に接続されているボイスコイルＢｌ２（４２）は定電圧駆動されており、低インピーダンス駆動となっている。前記ボイスコイルＢｌ１（４４）と同Ｂｌ２（４２）は同一筒に巻かれたダブルボイスコイルとなっている。
これにより定電流駆動と定電圧駆動が合成された駆動力となる。
【００３７】図６は前記図５に示された回路図の基本ブロックダイアグラムを示している。以下図６に基づいて説明する。入力信号Ｖ１は抵抗Ｒｓ（４５）を通して電流ｉ１（４６）となりボイスコイルＢｌ１（４７）を励磁しＦ１＝Ｂ・ｌ１・ｉ１（４８）として駆動力Ｆ１となりスピーカーコーンの振動
2017028669.tif 000009
入力信号Ｖ１はパワー増幅部〔５１〕を通過して増幅され、前記スピーカーボイスコイルＢｌ２に１／Ｚｖ（５６）を通して電流ｉ２（６０）として供給されＦ２＝Ｂ・ｌ２・ｉ２（５０）となり、ここで前記Ｆ１と当該Ｆ２が機械的に合流し、前記スピーカーコーンを振動させる。前記機械インピーダンス１／Ｚｍ（４９）による速度出力によって逆起電
2017028669.tif 000010
して働く。このＢｌ２（５７）は定電圧駆動となる。また、ボイスコイルＢｌ１（４７）
2017028669.tif 000011
ックされる。ここで出力点（３１）とアース間の出力電圧ー周波数特性は、前記逆起電圧
2017028669.tif 000012
（４８）とＦ２＝Ｂｌ２・ｉ２（５０）は機械的に合成されるが、このＦ２（５０）にはＢｌ１
2017028669.tif 000013
により本発明の増幅システムはダブルボイスコイル駆動増幅器として定電流駆動としての電圧ー周波数特性を備え、また定電圧駆動としての制動力を兼ね備えるものである。
【００３８】
2017028669.tif 000014
押すと逆起電力ｖ’が発生し、ボイスコイルに電流Ｉｖが流れる。この逆起電力ｖ’は，
2017028669.tif 000015
ここでＺ０：ボイスコイルインピーダンス、ＺＡ：増幅器（６０）の出力インピーダンスとする。
従って、コーンの動きを妨げる力ＦＲは，ＦＲ＝Ｉｒ・Ｂｌ×１０−１‐‐−（１７）で表わされ
2017028669.tif 000016
このμ０が電磁制動力である。電流駆動増幅器では出力インピーダンスＺＡは１０ｋΩ〜１００ｋΩ高いので電磁制動力はほとんど働かない。電圧駆動増幅器では、出力インピーダンスＺＡは１Ω〜０．００１Ωであり、μ０は最大の制動力を働かせる。本発明によるものは電流駆動増幅機能をもって，さらに電圧駆動増幅器の制動力を併せもつ。本発明による増幅器の出力インピーダンスは図１に基づいて説明する。スピーカーの代わりに、スピーカーから発生した逆起電圧ＶＴを置き換えると電圧増幅器（７）の出力点（１０）と加算点（２）との間にこのＶＴの電圧が加わり、直列につながる抵抗ＲＳ（５）を通して電流ＩＮｆが流れる。ここで
2017028669.tif 000017
ＶＴ：逆起電圧）        一方、Ｖｉ    ＝−ＲＳ・ＩＮｆ‐‐‐（２１）である。
（２０）と（２１）より、
2017028669.tif 000018
ＩＮｆ・｛ＲＳ＋ＲＳ・ｆ（Ａ）｝｝＝ＶＴ‐‐‐（２３）  となり
（２３）より出力インピーダンスＺＡ＝ＶＴ／ＩＮｆなので
2017028669.tif 000019
（２４）より出力インピーダンスＺＡは略直列につながる抵抗ＲＳと前記電圧増幅器（１７）の開ループ利得とを乗じた値となる。従って前記粘性抵抗μ０は（１９）と（２４）より、
2017028669.tif 000020
この場合に電圧増幅器の出力インピーダンスＺＡとスピーカーユニットの電気インピーダンスＺ０が等しく、ＺＡ＝Ｚ０≒ｆ（Ａ）・Ｒｓとなる。
このμ０は電圧駆動の低出力インピーダンスによる制動力の強い場合の１／２（半分）の強い粘性抵抗力、制動力を有している。電流駆動であり、かつ制動力のあるスピーカーパワー駆動増幅器である。
【００３９】請求項６について図６に基づいて説明する。電流負帰還―電流駆動増幅器での入力電圧Ｖｉと出力電圧Ｖ０との関係は〔６〕式に示され、出力電圧Ｖ０は、
2017028669.tif 000021
電圧増幅部（６０）の出力点（６１）とアース間に、前記スピーカーユニットと共振周波数ｆ０が等しいインピーダンスＺｓｐ２のスピーカーユニットを接続する。ここで流れる電流Ｉｓｐ２（６３）は
2017028669.tif 000022
当該請求項６での，Ｒｓ・ｆ（Ａ）＝Ｚｓｐ１（６４）において，Ｒｓ＝１としてｆ（Ａ）＝Ｚｓｐ１の場合で、（２６）式を〔２７〕式に代入して
2017028669.tif 000023
ここでＺｓｐ１（６２）とＺｓｐ２（６４）は共振周波数ｆ０が等しいので、
2017028669.tif 000024
し、かつこの電流はスピーカーを直接に駆動するものである。
【符号の説明】
【００４０】１：バッファーアンプ
２：電流加算部                        １６：ｆ曲線
３：電流ー電圧変換部                  １１：ａ曲線
４：スピーカーの電気インピーダンス    ２５：電流加算点
５：直列につながる抵抗Ｒｓ            ２８：入力信号Ｖ１
１３：増幅器Ａ                        ２９：スピーカへの出力端子
１５：出力点
２１：ＴＲ１
２２：ＴＲ２
１８：フィラメント
１９：フィラメント
１３：パワー増幅器Ａ
１４：Ｂｌ１
１７：Ｂｌ２
３５：真空管Ｔ１
３６：真空管Ｔ２
３０：出力トランス
３３：プレート
３４：プレート
４９：機械インピーダンス
５０：Ｆ２
６０：電圧増幅部
４７：ボイスコイルＢｌ
６２：Ｚｓｐ１
６４：Ｚｓｐ２
【図１】
2017028669.tif 000025
【図２】
2017028669.tif 000026
【図３】
2017028669.tif 000027
【図４】
2017028669.tif 000028
【図５】
2017028669.tif 000029
【図６】
2017028669.tif 000030